(57)【要約】【課題】内部電源使用時に消費電力を低減することができる電子機器を提供する。【解決手段】この電子機器１は、ＡＣアダプタ３の接続を検出して、ＡＣアダプタ３から供給される電力の電力供給状態に基づいて制御信号を出力する電源回路１４と、ＡＣアダプタ３から電力を供給されることで動作する赤外線受光素子１３ａおよび赤外線データ処理用マイコン１３ｂと、電源回路１４の出力する制御信号に基づいて、電源回路１４から赤外線受光素子１３ａおよび赤外線データ処理用マイコン１３ｂに対する電力供給または電力供給停止を切り替える電源スイッチ回路１６とを有する。【選択図】図２
2009159443.tif 000002
【特許請求の範囲】
【請求項１】
電力を供給する内部電源と、
前記内部電源または外部電源から供給される電力を各部へ電力供給するとともに、前記外部電源の接続を検出して、前記外部電源から供給される電力の電力供給状態に基づいて制御信号を出力する電源回路と、
前記電源回路から電力を供給されることで、外部から送信される操作信号を受信する操作信号受信部と、
前記電源回路の出力する前記制御信号に基づいて、前記電源回路から前記操作信号受信部に対する電力の供給または供給停止を切り替える電源スイッチ回路とを有することを特徴とする電子機器。
【請求項２】
前記電源スイッチ回路は、前記電源回路が前記外部電源から電力が供給されていないと判断した場合、前記内部電源により各部に電力を供給するとともに、前記制御信号に基づいて前記電源回路から前記操作信号受信部に対する電力を供給停止することを特徴とする請求項１に記載の電子機器。
【請求項３】
前記電源回路は、過電圧検出回路を用いて電力供給元の電圧を検出し、前記外部電源の前記電力供給状態を検出することを特徴とする請求項２に記載の電子機器。
【請求項４】
電力を供給する内部電源と、
前記内部電源または外部電源から供給される電力を各部へ電力供給するとともに、前記外部電源の接続を検出して、前記外部電源から供給される電力の電力供給状態に基づいて制御信号を出力する電源回路と、
前記電源回路の出力する前記制御信号に基づいて前記外部電源の前記電力供給状態を教示する状態教示部と、
前記電源回路から電力を供給されることで、外部から送信される操作信号を受信する操作信号受信部と、
前記電源回路の出力する前記制御信号に基づいて、前記電源回路から前記操作信号受信部に対する電力の供給または供給停止を切り替える電源スイッチ回路とを有することを特徴とする電子機器。
【請求項５】
前記電源スイッチ回路は、前記電源回路が前記外部電源から電力が供給されていないと判断した場合、前記内部電源により各部に電力を供給するとともに、前記制御信号に基づいて前記電源回路から前記操作信号制御部に対する電力を供給停止することを特徴とする請求項４に記載の電子機器。
【請求項６】
前記電源回路は、過電圧検出回路を用いて電力供給元の電圧を検出し、前記外部電源の前記電力供給状態を検出することを特徴とする請求項５に記載の電子機器。
【請求項７】
前記状態教示部は、前記電源回路の出力する前記制御信号に基づいて前記外部電源の前記電力供給状態を教示することで、前記操作信号受信部の動作状態を教示することを特徴とする請求項６に記載の電子機器。
【請求項８】
前記操作信号受信部は、赤外線受光素子と、赤外線データ処理部とからなることを特徴とする請求項１または４に記載の電子機器。
【発明の詳細な説明】
【技術分野】
【０００１】
本発明は、電子機器に関する。
【背景技術】
【０００２】
従来の技術として、外部電源あるいは内部電池から電力が供給される電子機器において、電力供給元に基づいてモジュールへの電力供給を切り替える電子機器がある（例えば、特許文献１参照）。
【０００３】
この電子機器は、取り外し可能に電力供給するＡＣアダプタ等の外部電源と、本体内部に設けられる充電池等の内部電源と、ＬＡＮカードやモデムカード等のモジュールとを有し、電源投入時やサスペンド状態からレジュームを行った時等の電子機器の起動時に、外部電源の電力供給を検出して、外部電源から電力供給されている場合は、モジュールに電源を供給し、外部電源から電力供給されていない場合は、モジュールに電源を供給せずにモジュールを動作しないようにする。これにより、外部電源を使用できない状況において、ＬＡＮカードやモデムカード等の通信モジュールへの電力供給を停止することができ、ひいては内部電池使用時の電子機器の消費電力を低減でき、使用時間を延長することができる。
【特許文献１】特開２０００−１２２７５６号公報
【発明の開示】
【発明が解決しようとする課題】
【０００４】
しかし、従来の電子機器によると、電子機器の起動時に外部電源の電力供給を検出するため、電子機器の起動時以外のタイミングにおいて外部電源の電力供給状態に変化が生じても電力供給を停止できないため、内部電源使用時の消費電力を低減できないという問題がある。
【０００５】
従って、本発明の目的は、内部電源使用時に消費電力を低減することができる電子機器を提供することにある。
【課題を解決するための手段】
【０００６】
（１）本発明は上記目的を達成するため、電力を供給する内部電源と、前記内部電源または外部電源から供給される電力を各部へ電力供給するとともに、前記外部電源の接続を検出して、前記外部電源から供給される電力の電力供給状態に基づいて制御信号を出力する電源回路と、前記電源回路から電力を供給されることで、外部から送信される操作信号を受信する操作信号受信部と、前記電源回路の出力する前記制御信号に基づいて、前記電源回路から前記操作信号受信部に対する電力の供給または供給停止を切り替える電源スイッチ回路とを有することを特徴とする電子機器を提供する。
【０００７】
上記した構成によれば、外部電源の電力供給状態に基づいて、操作信号制御部に対する電力を供給停止するため、電子機器が内部電源で駆動する場合に、操作信号受信部において待機電力が消費されず、その連続駆動時間を増加させることができる。
【０００８】
（２）また、本発明は上記目的を達成するため、電力を供給する内部電源と、前記内部電源または外部電源から供給される電力を各部へ電力供給するとともに、前記外部電源の接続を検出して、前記外部電源から供給される電力の電力供給状態に基づいて制御信号を出力する電源回路と、前記電源回路の出力する前記制御信号に基づいて前記外部電源の前記電力供給状態を教示する状態教示部と、前記電源回路から電力を供給されることで、外部から送信される操作信号を受信する操作信号受信部と、前記電源回路の出力する前記制御信号に基づいて、前記電源回路から前記操作信号受信部に対する電力の供給または供給停止を切り替える電源スイッチ回路とを有することを特徴とする電子機器を提供する。
【０００９】
上記した構成によれば、（１）の効果に加え、外部電源の電力供給状態、および操作信号受信部の使用是非を利用者に教示することができる。
【発明の効果】
【００１０】
本発明によれば、内部電源使用時の消費電力を低減することができる。
【発明を実施するための最良の形態】
【００１１】
以下に、本発明の電子機器の実施の形態を、図面を参照して詳細に説明する。
【００１２】
（電子機器の構成）
図１は、本発明の実施の形態に係る電子機器を示す斜視図である。
【００１３】
電子機器１は、図示しないアンテナを介して外部より放送波を受信して映像を表示したり、内蔵された記憶部に記憶された音楽データや映像データを再生して音声や映像を出力できるマルチメディアプレイヤーであって、赤外線を用いて操作信号を出力するリモコン２により遠隔操作可能で、家庭用ＡＣ電源をＤＣ電源に変換するＡＣアダプタ３から電力供給を受けて動作するとともに、充電可能な内部電源により動作することもできる。また、電子機器１は、本体１０内にＣＰＵ（Ｃｅｎｔｒａｌ  Ｐｒｏｃｅｓｓｉｎｇ  Ｕｎｉｔ）やＨＤＤ（Ｈａｒｄ  Ｄｉｓｃ  Ｄｒｉｖｅ）等の電子部品を格納し、正面部に電子機器１の電源投入状態（電源オン／オフ）を切り替える電源スイッチ１１と、メニュー操作やボリューム操作、チャンネル切替操作等を行える複数のスイッチからなる操作部１１Ａと、文字や画像等を表示する液晶表示パネル等からなる表示部１２と、リモコン２の出力する赤外線の操作信号を受信する受信部１３と、ＡＣアダプタ３のＤＣプラグ３ａが挿入されるＤＣジャック１４ａとを有する。
【００１４】
リモコン２は、電子機器１の電源投入状態（電源オン／オフ）を切り替える電源スイッチ２０と、操作部１１Ａと同一の操作機能を有する複数のスイッチからなる操作部２０Ａと、電源スイッチ２０と操作部２０Ａの操作信号を赤外線を用いて出力する送信部２１とを有する。
【００１５】
ＡＣアダプタ３は、電子機器１のＤＣジャック１４ａに接続されてＤＣ電源を供給するＤＣジャック１４ａと、家庭用ＡＣ電源から電力供給されるＡＣプラグ３ｂとを有し、本体内に電源トランスおよび平滑化回路を有してＡＣ電源をＤＣ電源に変換する。
【００１６】
図２は、本発明の実施の形態に係る電子機器の構成を示すブロック図である。
【００１７】
電子機器１は、操作信号ライン１１０を介して電源投入状態を切り替える操作制御信号を出力する電源スイッチ１１と、操作信号ライン１１１を介して操作信号を出力する操作部１１Ａと、映像信号ライン１７２を介して映像信号を受信して文字や画像等を表示する表示部１２と、リモコン２から赤外線の操作信号を受信して赤外線信号ライン１３２を介して出力する操作信号受信部としての赤外線受光素子１３ａと、赤外線受光素子１３ａから赤外線信号を受信して通信ライン１３０を介してリモコン２の操作信号を操作制御信号に変換して出力する操作信号受信部としての赤外線データ処理用マイコン１３ｂとを有する。また、赤外線データ処理用マイコン１３ｂは、電源スイッチ２０の操作に伴いステータス切替ライン１３１を介して電源投入状態を切り替えるための操作制御信号を送信し、ＣＰＵ１７のステータスを切り替えて電子機器１を起動または動作を終了させる。
【００１８】
また、電子機器１は、電圧検出回路１４ＡとＬＥＤ制御回路１４Ｂとを有する電源回路１４と、充放電の可能な例えばリチウムイオンバッテリセルからなる内部電源としてのバッテリ１５と、ＡＣアダプタ検出信号ライン１４０を介して受信したＡＣアダプタ検出信号に基づいて赤外線受光素子１３ａおよび赤外線データ処理用マイコン１３ｂに対する電力供給を切り替える電源スイッチ回路１６と、各部を制御するＣＰＵ１７と、電源回路１４により制御されて電子機器１の電力供給状態を教示するＬＥＤ１８とを有する。
【００１９】
電源回路１４は、ＡＣアダプタ３から電力が供給されるとき、バッテリ１５を充電するとともに電子機器１内の各部に電力を供給する。また、電源回路１４は、ＡＣアダプタ３から電力が供給されないとき、バッテリ１５から供給される電力を電子機器１内の各部に供給する。電圧検出回路１４Ａは、過電圧検出用の回路を兼ねており、電源回路１４に供給される電力の電圧を検出し、検出した電圧に基づいてＡＣアダプタ検出信号ライン１４０を介してＡＣアダプタ検出信号を出力する。ＬＥＤ制御回路１４Ｂは、電源回路１４の電力供給状態に基づいてＬＥＤ１８に電力を供給し、ＬＥＤ１８を点灯／点滅および消灯するよう制御する。
【００２０】
ＣＰＵ１７は、通信ライン１７０を介して赤外線データ処理用マイコン１３ｂの操作信号に対して応答する。また、リセット信号ライン１７１を介してリセット信号を送信し、赤外線データ処理用マイコン１３ｂをリセットする。
【００２１】
なお、図２に示す実線の矢印は、電力供給先の規定電圧で電力を供給するＤＣ電源ラインである。また、電子機器１は、図示しないＨＤＤ等の記憶部、情報を一時的に記憶してＣＰＵ１７等の動作を補助するメモリ、スピーカーやイヤホンジャック等を備える音声出力部、無線ＬＡＮやＢｌｕｅｔｏｏｔｈ（登録商標）等を用いて外部と通信する無線通信部等を有する。
【００２２】
リモコン２は、電子機器１の電源投入状態（電源オン／オフ）を切り替える電源スイッチ２０と、複数のスイッチからなる操作部２０Ａと、操作信号を赤外線に変換して送信する送信部２１と、電源スイッチ２０および操作部２０Ａの操作に基づいて赤外線の操作信号を生成する制御部２２とを有する。
【００２３】
（動作）
以下に、本発明の実施の形態における電子機器の動作を各図を参照しつつ説明する。
【００２４】
赤外線受光素子１３ａは、リモコン２から赤外線の操作信号を受信すると、赤外線信号ライン１３２を介して赤外線信号を赤外線データ処理用マイコン１３ｂに対して送信する。赤外線データ処理用マイコン１３ｂは、リモコン２から受信した赤外線の操作信号のうち操作部２０Ａの操作に基づく操作信号について、その操作制御信号を通信ライン１３０を介してＣＰＵ１７に送信する。また、リモコン２から受信した赤外線の操作信号のうち電源スイッチ２０の操作に基づく操作信号について、その操作制御信号をステータス切替ライン１３１を介してＣＰＵ１７に送信する。ＣＰＵ１７は、ステータス切替ライン１３１を介して操作制御信号を受信すると、電子機器１の電源投入状態を切り替える。ＣＰＵ１７は、電源オフの状態において操作制御信号を受信すると、ＯＳを起動して電子機器１を動作させる。電源オンの状態において操作制御信号を受信すると、ＯＳを終了して電子機器１の動作を終了させる。
【００２５】
電源回路１４は、操作信号ライン１１０を介して電源スイッチ１１から操作制御信号を受信すると、電子機器１の電源投入状態を切り替える。電源回路１４は、電源オフの状態において電源スイッチ１１から操作制御信号を受信すると、ＡＣアダプタ検出信号ラインを用いてＣＰＵ１７に対しＯＳを起動して電子機器１を動作させるように起動要求信号を送信する。電源オンの状態において操作制御信号を受信すると、ＯＳを終了して電子機器１の動作を終了させるように動作終了要求信号を送信する。また、電源回路１４は、ＣＰＵ１７へ要求信号を送信するとともに、ＣＰＵ１７以外の各部に対する電力の供給または停止を切り替える。
【００２６】
電源回路１４の電圧検出回路１４Ａは、電源回路１４に供給される電力の電圧を監視する。ＡＣアダプタ３が接続されている場合、ＡＣアダプタ３から電源回路１４に対してＤＣ５．２Ｖで電力供給され、ＡＣアダプタ３が非接続の場合、バッテリ１５から電源回路１４に対してＤＣ４．５Ｖで電力が供給されるため、電圧検出回路１４Ａは、例えば、４．８Ｖを閾値として供給される電力の電圧を監視し、ＡＣアダプタ３の接続または非接続、つまりＡＣアダプタ３からの電力供給状態を判断する。
【００２７】
図３は、本発明の実施の形態に係る電子機器の動作例を示す図である。
【００２８】
電源回路１４の電圧検出回路１４Ａは、ＡＣアダプタ３が接続されていると判断した場合、ＡＣアダプタ検出信号としてＬｏｗ電圧の信号を送信し、ＡＣアダプタ３が接続されていないと判断した場合、ＡＣアダプタ検出信号としてＨｉｇｈ電圧の信号を送信する。ＡＣアダプタ検出信号ライン１４０は、ＣＰＵ１７および電源スイッチ回路１６に入力され、ＣＰＵ１７および電源スイッチ回路１６にＡＣアダプタ３からの電力供給状態を知らせる。
【００２９】
電源スイッチ回路１６は、ＡＣアダプタ検出信号ライン１４０を介してＬｏｗ電圧のＡＣアダプタ検出信号を受信すると、電源回路から供給される電力を赤外線受光素子１３ａおよび赤外線データ処理用マイコン１３ｂに対して供給する。また、ＡＣアダプタ検出信号ライン１４０を介してＨｉｇｈ電圧のＡＣアダプタ検出信号を受信すると、電源回路から供給される電力を赤外線受光素子１３ａおよび赤外線データ処理用マイコン１３ｂに対して供給しないことで、これらの動作を停止させる。
【００３０】
つまり、電子機器１は、ＡＣアダプタ３が接続されている場合、赤外線受光素子１３ａおよび赤外線データ処理用マイコン１３ｂを動作させることでリモコン２から送信される操作信号を受信および信号処理し、ＡＣアダプタ３が接続されていない場合は、赤外線受光素子１３ａおよび赤外線データ処理用マイコン１３ｂを動作させないことでリモコン２から送信される操作信号を受信せず、リモコン２の使用を不可とする。
【００３１】
なお、ＣＰＵ１７上で動作するＯＳ（Ｏｐｅｒａｔｉｏｎ  Ｓｙｓｔｅｍ）は、ＡＣアダプタ３の接続状態に関わらず、電子機器１の電源投入状態に対応して動作、非動作状態が切り替わるが、ＣＰＵ１７は、ＡＣアダプタ３が接続されている場合は、電子機器１の電源が投入されていない状態においても電力が供給されておりスタンバイ状態となっている。また、ＣＰＵ１７は、ＡＣアダプタ３が接続されていない場合で、電子機器１の電源が投入されていない状態においてのみ、ＣＰＵ１７に電力が供給されない。つまり、たとえ赤外線受光素子１３ａおよび赤外線データ処理用マイコン１３ｂに電力が供給されていたとしても、ＡＣアダプタ３非接続時には、リモコン２の電源スイッチ２０は無効であり、唯一電力の供給されている電源回路１４に直接接続された電源スイッチ１１のみが有効となる。
【００３２】
図４は、本発明の実施の形態に係る電子機器の動作例を示す図である。
【００３３】
電源回路１４のＬＥＤ制御回路１４Ｂは、電圧検出回路１４ＡにおいてＡＣアダプタ３が接続されており、ＡＣアダプタ３から電力が供給されていると判断した場合、ＬＥＤ１８を点灯させる。また、ＡＣアダプタ３から供給される電力によりバッテリ１５が充電されている場合、ＬＥＤ１８を、例えば、オレンジに点灯させ、バッテリ１５の充電が完了している場合、ＬＥＤ１８をグリーンに点灯させる。
【００３４】
また、電源回路１４のＬＥＤ制御回路１４Ｂは、電圧検出回路１４ＡにおいてＡＣアダプタ３が接続されておらず、バッテリ１５から電力が供給されていると判断した場合、ＬＥＤ１８をグリーンに点滅させる。なお、電子機器１の電源が投入されていない場合、また、電源が投入されており表示部１２のバックライトが動作している場合は、ＬＥＤ１８を消灯する。
【００３５】
図５（ａ）および（ｂ）は、本発明の実施の形態に係る電子機器の表示部における表示例を示す概略図である。
【００３６】
表示部１２は、ＡＣアダプタ３が接続されており、電力が供給されている場合、図５（ａ）に示すように、電子機器１に対してＡＣアダプタ３から電力が供給されていることを示すＡＣアダプタアイコン１２０Ａと、電子機器１がリモコン２の送信する赤外線の操作信号を受信可能な状態であることを示すリモコン受信アイコン１２１Ａと、バッテリ１５の電力残量に応じて表示を変化させる電池インジケータアイコン１２２とを表示する。
【００３７】
表示部１２は、ＡＣアダプタ３が接続されておらず、電力が供給されていない場合、図５（ｂ）に示すように、電子機器１に対してＡＣアダプタ３から電力が供給されていないことを示すＡＣアダプタ非接続アイコン１２０Ｂと、電子機器１がリモコン２の送信する赤外線の操作信号を受信不可能な状態であることを示すリモコン受信不能アイコン１２１Ｂと、電池インジケータアイコン１２２とを表示する。
【００３８】
（実施の形態の効果）
上記した第１の実施の形態によると、ＡＣアダプタ３から電力が供給されない場合は、リモコン２の受信機能を停止するために赤外線受光素子１３ａおよび赤外線データ処理用マイコン１３ｂに対する電力供給を停止するため、バッテリ１５によって電子機器１が駆動される場合の消費電力を低減できる。
【００３９】
また、電源回路１４の過電圧検出回路としての電圧検出回路１４Ａにおいて、常にＡＣアダプタ３からの電力供給状況を検出しているため、タイミングを限定することなく赤外線受光素子１３ａおよび赤外線データ処理用マイコン１３ｂに対する電力を供給または停止するように制御することができる。なお、電子機器１がバッテリ１５によって駆動される場合、電子機器１は利用者に携帯される状況が多く、携帯されている状況においては操作部１１Ａが直接操作されるため、リモコン２の受信機能を停止したとしても電子機器１の利便性が低下する状況はまれである。
【００４０】
また、図４に示すＬＥＤ１８の点灯パターンにより、ＬＥＤ１８が点灯している場合は、リモコン２の操作信号を受信できる状態であり、それ以外の場合はリモコン２の操作信号を受信できない状態であることを電子機器１の利用者に教示できる。また、表示部１２のバックライトが動作している場合、図５に示す表示部１２に表示されるアイコン群によって、ＡＣアダプタ３の電力供給状態およびリモコン２の操作信号受信状態を利用者に教示できる。
【００４１】
なお、電子機器１は、ＡＣアダプタ３から電力が供給されない場合、リモコン２の受信機能を停止するとともに、ＬＥＤ１８の点灯パターンが電力供給されている場合と異なるため、ＡＣアダプタ３のＤＣプラグ３ａがＤＣジャック１４ａから不意に抜けた場合や、ＡＣプラグ３ｂに対する電力供給が予期せず停止した場合等の異常時に、電子機器１の利用者にその異常状態を教示することができる。
【図面の簡単な説明】
【００４２】
【図１】本発明の実施の形態に係る電子機器を示す斜視図である。
【図２】本発明の実施の形態に係る電子機器の構成を示すブロック図である。
【図３】本発明の実施の形態に係る電子機器の動作例を示す図である。
【図４】本発明の実施の形態に係る電子機器の動作例を示す図である。
【図５】（ａ）および（ｂ）は、本発明の実施の形態に係る電子機器の表示部における表示例を示す概略図である。
【符号の説明】
【００４３】
１…電子機器、２…リモコン、３…ＡＣアダプタ、３ａ…ＤＣプラグ、３ｂ…ＡＣプラグ、１０…本体、１１…電源スイッチ、１１Ａ…操作部、１２…表示部、１３…受信部、１３ａ…赤外線受光素子、１３ｂ…赤外線データ処理用マイコン、１４…電源回路、１４ａ…ＤＣジャック、１４Ａ…電圧検出回路、１４Ｂ…ＬＥＤ制御回路、１５…バッテリ、１６…電源スイッチ回路、１７…ＣＰＵ、１８…ＬＥＤ、２０…電源スイッチ、２０Ａ…操作部、２１…送信部、２２…制御部、１１０…操作信号ライン、１１１…操作信号ライン、１２０Ａ…ＡＣアダプタアイコン、１２０Ｂ…ＡＣアダプタ非接続アイコン、１２１Ａ…リモコン受信アイコン、１２１Ｂ…リモコン受信不能アイコン、１２２…電池インジケータアイコン、１３０…通信ライン、１３１…ステータス切替ライン、１３２…赤外線信号ライン、１４０…アダプタ検出信号ライン、１７０…通信ライン、１７１…リセット信号ライン、１７２…映像信号ライン
【図１】
2009159443.tif 000003
【図２】
2009159443.tif 000004
【図３】
2009159443.tif 000005
【図４】
2009159443.tif 000006
【図５】
2009159443.tif 000007